(57)【要約】      （修正有）【課題】携帯端末のディスプレイ部において太陽光の反射や周囲の照度が高い場合の該ディスプレイ部の視認性の向上を図ることができ、更に携帯端末の携帯性を高く維持でき、更にはコスト的にも低廉で済む携帯端末用サンシェードを提供する。【解決手段】携帯端末Ｐと着脱自在に装着する本体１と、この本体と軟質部材からなる連結部を介して連結する覆い部とからなり、該覆い部は中央部３２を中心に両側にそれぞれ側面部３１、３３を有し、中央部と両側面部との間に軟質部材の屈曲部３４を有し、側面部は下部に三角形状の折り込み部３１１とその上部に側面板部３１２、３３２とを有し、折り込み部と側面板部との間は軟質部材の屈曲部３５を有し、少なくとも折り込み部の内部にスチールプレート、強磁性体又は磁石の内のいずれかを有し、本体の両側方向の内部に磁石を有する携帯端末に装着して使用する携帯端末用サンシェードである。【選択図】図５
0003211228.tif 000002
【実用新案登録請求の範囲】
【請求項１】
携帯端末に装着して使用する携帯端末用サンシェードであって、
携帯端末と着脱自在に装着する本体１と、
この本体１と軟質部材からなる連結部２を介して連結する覆い部３とからなり、
該覆い部３は中央部３２を中心に両側にそれぞれ側面部３１、３３を有し、
中央部３２と両側面部３１、３３との間に軟質部材からなる屈曲部３４を有し、
側面部３１、３３は下部に三角形状の折り込み部３１１、３３１とその上部に側面板部３１２、３３２とを有しており、
折り込み部３１１、３３１と側面板部３１２、３３２との間は軟質部材からなる屈曲部３５を有し、
該三角形状の折り込み部３１１、３３１は側面部３１、３３の外側の最下部の角部を三角形状の頂点とする三角形状の折り込み部３１１、３３１であり、
少なくとも三角形状の折り込み部３１１、３３１の内部にはスチールプレート、強磁性体又は磁石の内のいずれかを有し、
本体１の両側方向の内部には磁石を有することを特徴とする携帯端末用サンシェード。
【請求項２】
覆い部３の中央部３２の内部に磁石を有することを特徴とする請求項１記載の携帯端末用サンシェード。
【請求項３】
側面板部３１２、３３２の内部に磁石を有することを特徴とする請求項１記載の携帯端末用サンシェード。
【考案の詳細な説明】
【技術分野】
【０００１】
本考案は、スマートフォン等の携帯端末機器のディスプレイ部に関しての日よけであるサンシェードであって、折り畳み可能な携帯端末用サンシェードに関する。
【背景技術】
【０００２】
スマートフォン等の携帯端末機器に関しては出先で使用するものであり、特に屋外で使用することも多いものである。
しかし、屋外での使用に際しては非常に明るい場所で使用するものとなり、ディスプレイ部は見にくくなる場合が生じる。
特に、夏等の屋外ではディスプレイ部の照度が高く非常に見にくくなるものである。
【０００３】
更に、ディスプレイ部に太陽光等が反射してしまうと更に照度が高くなり、ディスプレイ部自体の視認ができなくなってしまう。
ディスプレイ部は、携帯端末の操作等に際して常に視認できる状況であることが必要である。
【０００４】
従って、ディスプレイ部自体の視認性を高めるために、例えばディスプレイ部にフィルム等の貼付を行うことにより視認性を高めるものやディスプレイ部のカバーガラス自体に特殊ガラスを用いたもの等が考えられる。
又、周囲の照度値に対応して画面の明るさを調整する装置として特開２０１２−２３４５１５号（特許文献１）も存在する。
【先行技術文献】
【特許文献】
【０００５】
【特許文献１】特開２０１２−２３４５１５号
【考案の概要】
【考案が解決しようとする課題】
【０００６】
以上の様に、ディスプレイ部の照度が高くなるとどうしてもディスプレイ部の視認性が悪くなり見にくくなってしまうことから、見やすさを高めるための方策が用いられているが、特に夏の日の屋外での使用時や太陽光がディスプレイ部に反射してしまう等の場合には、これらの方策では対処がしきれないものである。
【０００７】
例えば、フィルム等で対処する場合や画面の明るさを増すことによりディスプレイ部の視認性を高めたとしても、夏の日の屋外等の照度が極めて高い場合や太陽光が反射してしまう等の場合には、もはやディスプレイ部の視認性を保つことができないものとなる。
そこで、この様な場合にも対処できるディスプレイ部の視認性を保つ方策が要望される。
【０００８】
更には、携帯端末ゆえに携帯性が高い何らかの方策が必要である。
又、コスト的にも低廉で済む方策が望まれる。
従って、これらを具備する携帯端末用サンシェードが望まれる。
【０００９】
そこで、係る課題を見事に解決し、ディスプレイ部の視認性が高く、かつ携帯性を有すると共に低コストで済む携帯端末用サンシェードの提供を図るものである。
【課題を解決するための手段】
【００１０】
係るため、請求項１に係る考案は、携帯端末に装着して使用する携帯端末用サンシェードであって、携帯端末に着脱自在に装着する本体と、この本体と軟質部材からなる連結部を介して連結する覆い部とからなり、該覆い部は中央部を中心に両側にそれぞれ側面部を有し、中央部と両側面部との間に軟質部材からなる屈曲部を有し、側面部は下部に三角形状の折り込み部とその上部に側面板部とを有しており、折り込み部と側面板部との間は軟質部材からなる屈曲部を有し、該三角形状の折り込み部は側面部の外側の最下部の角部を三角形状の頂点とする三角形状の折り込み部であり、少なくとも三角形状の折り込み部の内部にはスチールプレート、強磁性体又は磁石の内のいずれかを有し、本体の両側方向の内部には磁石を有する携帯端末用サンシェードである。
【００１１】
又、請求項２に係る考案は、更に覆い部の中央部の内部に磁石を有する携帯端末用サンシェードを用いてもよい。
請求項３に係る考案は、同様に側面板部の内部に磁石を有する携帯端末用サンシェードを用いてもよい。
【考案の効果】
【００１２】
以上のように構成したことから、まず請求項１に係る考案によって携帯端末に装着する本体に連結部を介して覆い部を折り込むことができ、更にはこの覆い部も屈曲部を介する中央部と両側面部とを折り込むことができ、更に屈曲部を介した側面板部と三角形状の折り込み部を有して折り込むことができ、これらを各々任意に折り込んで特定の任意の形状を形作ることができる。
【００１３】
特に覆い部の中央部を折り込むと共に両側面部を折り込み、更に折り込み部を折り込むことによって携帯端末のディスプレイ部の周囲にサンシェードを構成できるものである。
更に、この折り込み方によっては、携帯端末の土台として形作ることもできる。
その他、この様に携帯端末用サンシェードを構成することによって種々の形態を形作れるものとなる。
【００１４】
又、三角形状の折り込み部の内部にはスチールプレート、強磁性体又は磁石の内のいずれかを有し、本体の両側方向の内部には磁石を有することから、特定の形状にした場合、特に前記したサンシェード構成や土台構成にした際に、その構成した形態を折り込み部の内部にはスチールプレート、強磁性体又は磁石と本体の両側方向の内部の磁石とが磁気的に吸着してこの形態を維持できるものとなる。
更には、この状態から磁気的な吸着を外せば元の形態に戻すことができるものである。
【００１５】
又、その他の小さく折り畳んだ収納状態やその他の形態に形作ることもできる。
従って、各種形態に形作ることができると共にその状態の維持や元の状態に戻すことが容易にできる。
特に携帯端末用サンシェードとして形作ることが簡単にできることから、サンシェードとして携帯端末のディスプレイ部の視認性を高く維持できるものとなる。
【００１６】
次に、請求項２又は３に係る構成によって、覆い部の中央部の内部に磁石を有し、又は側面板部の内部に磁石を有するものとなり、前記の各種形態の維持に際してよりきっちりと磁気的な吸着を可能とするとともに、その他の形態等に形作ることも可能となる。
【図面の簡単な説明】
【００１７】
【図１】本考案に係る携帯端末用サンシェードの表面を示す図
【図２】本考案に係る携帯端末用サンシェードの裏面を示す図
【図３】本考案に係る携帯端末用サンシェードに携帯端末Ｐを貼付した状態の一例を示す図
【図４】本考案に係る携帯端末用サンシェードの覆い部の両側面部と中央部の折り込み状態の一例を示す図。
【図５】本考案に係る携帯端末用サンシェードの覆い部の両側面部と中央部を折り込みサンシェードとして携帯端末に配設している一例を示す図。
【図６】本考案に係る携帯端末用サンシェードの覆い部の両側面部と中央部の折り込み状態の一例を示す図。
【図７】本考案に係る携帯端末用サンシェードの覆い部の両側面部と中央部を折り込み土台として携帯端末に配設している一例を示す図
【図８】本考案に係る携帯端末用サンシェードの覆い部の両側面部と中央部を折り込み小さく折り畳んだ状態の一例を示す図。
【考案を実施するための形態】
【００１８】
図１は、本考案に係る携帯端末用サンシェードの一例の表面を示す図である。
まずスマートフォン等の携帯端末に接着等により装着する本体１とこの本体から軟質部材からなる連結部２で連結する覆い部３とからなる。
本体は携帯端末に装着することから、その形状は携帯端末の形状に適合する形状であることが必要である。
【００１９】
ここで適合するとは、携帯端末と接着などすることのできる形状、即ち携帯端末と同様又は近似した側面を有しているものであり、当然に携帯端末と同様の大きさの他、より大きいものであっても或いは小さいものであってもよい。
覆い部３は、両側面部３１、３３と中央部３２からなり、この三者間にはそれぞれ軟質部材による屈曲部３４を有する。
【００２０】
この屈曲部３４によって両側面部３１、３３は中央部３２方向に屈曲して折り込むことができる。
この両側面部３１、３３の下部には該側面部の外側の最下部の角部を三角形状の頂点とする三角形状の折り込み部３１１、３３１を有する。
本図においては、この頂点の角部がほぼ直角な直角二等辺三角形状の折り込み部３１１、３３１である。
【００２１】
該三角形状の折り込み部３１１、３３１は、更に両側面部３１、３３の上部に位置する側面板部３１２、３３２と軟質部材による屈曲部３５によって連設しているものである。
更に、側面板部３１２、３３２には突起部３３３を有している。
この様に構成した三角形状の折り込み部の内部にはスチールプレートＡを有する。
【００２２】
更に、本体１には、該本体１の覆い部３方向の両側に略Ｌ字型の傾斜した切れ込み部１１を有している。
この略Ｌ字型の傾斜した切れ込み部１１から両側方向の内部に磁石Ｂを内設しているものである。
この様に構成した携帯端末用サンシェードの表面には、例えばポリウレタン樹脂性の表面やレザー等の表面或いはデニム生地等の表面によって覆うことができ、見栄えの良い外表面を用いることができる。
従って、各人の嗜好に沿った外観を有する携帯端末用サンシェードを用いることができる。
【００２３】
図２は、図１に示す本考案に係る携帯端末用サンシェードの一例の表面に対して、この裏面を示す図である。
本図に示す通り、本体１と連結部２で連結する覆い部３とを基調とするものである。
本体１の表面には、接着部材を有する両面テープからなる接着部１２を有するものであり、携帯端末用サンシェードに携帯端末を貼付することにより、携帯端末用サンシェードと携帯端末とを一体として使用することができる。
【００２４】
従って、携帯端末と一体となって使用できると共に、必要に応じて携帯端末と携帯端末用サンシェードを取り外すこともできる。
この他、携帯端末と本体とが、接着部材により接着するものの他、例えば結合するための器具等を有して装着するものであってもよく、接着の他、接続器具等によって接続するものであってもよく、少なくとも着脱自在に携帯端末に装着できる本体１であればよい。
【００２５】
前記のように、本体１と連結部２で連結する覆い部３には、中央部３２とその両側の両側面部３１、３３を有しており、この三者間にはそれぞれ軟質部材による屈曲部３４を有する。
この両側面部は、下部には角部を三角形状の頂点とする三角形状の折り込み部３１１、３３１を有し、屈曲部３５によって側面板部３１２、３３２と連設しているものである。
【００２６】
この三角形状の折り込み部３１１、３３１と屈曲部３５とこれに連設する側面板部３１２、３３２とによって側面部３１、３３を形成する。
この様に構成することにより、屈曲部３４、３５と連結部２を折り曲げることにより種々の形態を形作ることができる。
特にスチールプレートＡが磁石Ｂによって吸着されることから一定の形態を形成した上で維持できることとなる。
【００２７】
図３は、携帯端末用サンシェードの接着部で携帯端末Ｐを貼付した状態の一例を示す図である。
携帯端末Ｐは、本考案に係る携帯端末用サンシェードの裏面の本体１の接着部１２により接着しているものであり、この様に携帯端末用サンシェードを携帯端末Ｐと一体に使用できるものである。
【００２８】
図４は、携帯端末Ｐに装着している携帯端末用サンシェードを用いて携帯端末Ｐのディスプレイ部のサンシェードとして用いる場合の覆い部３の両側面部３１、３３と中央部３２の折り込み例の一例を示す図である。
本図に示すように、まず携帯端末用サンシェードの覆い部３を裏面方向に起立させる。
【００２９】
軟質部材からなる連結部２を折り曲げることにより覆い部３を携帯端末に向かって起立させることができるものである。
更に、覆い部３の内の中央部３２を介して両側にある両側面部３１、３３を携帯端末Ｐ方向に折り曲げるものであり、軟質部材からなる屈曲部３４を折り曲げることにより両側面部３１、３３を携帯端末Ｐの側面方向に折り込むことができる。
【００３０】
次に、図５に示すように、覆い部３の両側面部３１、３３の内の三角形状の折り込み部３１１、３３１をそれぞれ更に携帯端末Ｐの裏側である携帯端末用サンシェードの本体１の表面方向に折り込むものである。
この場合折り込んだ折り込み部３１１、３３１は、携帯端末用サンシェードの本体の表側の両側に設けた略Ｌ字型の切れ込み部１１、１１近傍に該本体１の両側方向から中央方向にかけて折り込まれるものとなる。
【００３１】
従って、本体の略Ｌ字型の切れ込み部１１、１１の両側方向の内部に有する磁石Ｂと、覆い部３の三角形状の折り込み部３１１、３３１の内部のスチールプレートとが磁気的に吸着することとなり、両者が吸着状態で固定されることとなる。
このことから、図５に示す携帯端末Ｐのディスプレイ部を覆うように携帯端末用サンシェードが形成され、携帯端末Ｐの使用時には周囲の光を遮るものとなりディスプレイ部の視認性を高めることができる。
【００３２】
更には、屋外での使用時でも直射日光等を遮る覆い部分として用いることができる。
尚、本体１と覆い部３とを連結する連結部２は、本体の幅よりも細く形成しており、一方側によって形成されている。
これは、例えば携帯端末に写真やビデオ等を撮影するためのレンズ部を有する場合にこの部分に空間を付与し、該レンズ部分の外部を覆うことなく必要な撮影などを可能とするためである。
【００３３】
更に、本図のように形成した場合には側面板部３１２、３３２が外部に表出状態となるが、この側面板部３１２、３３２の突起部３３３が表出することとなり、この突起部３３３と携帯端末Ｐの操作用のスイッチ部との位置を一致させることにより、この突起部３３３を押すことによって携帯端末Ｐの操作ができることから、携帯端末Ｐの使用勝手が向上するものとなる。
【００３４】
図６は、本考案に係る携帯端末用サンシェードの他の使用例の一例を示す図であり、他の用途に使用するための覆い部３の両側面部３１、３３と中央部３２の折り込み例の一例を示す図である。
これは携帯端末Ｐの台として用いる際の折り込みの一例である。
即ち、図４及び図５に示すサンシェードとして用いる場合の折り込みではなく逆に携帯端末用サンシェードの覆い部３を本体１の表面方向に起立させるものである。
【００３５】
図６（ａ）に示すように、本考案に係る携帯端末用サンシェードの覆い部を軟質部材からなる連結部を折り曲げることにより携帯端末の裏側方向である携帯端末用サンシェードの本体の表側方向に起立させる。
更に、覆い部３の内の中央部３２を介して両側にある両側面部３１、３３を携帯端末用サンシェードの本体１方向に折り曲げるものであり、軟質部材からなる屈曲部を折り曲げることにより両側面部３１、３３を本体１の側面方向に折り曲げることができる。
【００３６】
更に、図６（ｂ）に示すように、本考案に係る携帯端末用サンシェードの覆い部３の両側面部３１、３３の三角形状の折り込み部３１１、３３１をそれぞれ携帯端末用サンシェードの本体１の表面方向に折り込むものである。
この場合、折り込んだ折り込み部３１１、３３１は、携帯端末用サンシェードの本体１の両側に設けた略Ｌ字型の切れ込み部１１、１１近傍に該本体１の両側方向から中央方向にかけて折り込んで重ね合わせるものである。
【００３７】
これにより、本体の略Ｌ字型の傾斜した切れ込み部１１、１１から両側方向の内部の磁石Ｂと、覆い部３の三角形状の折り込み部３１１、３３１の内部のスチールプレートＡとが磁気的に吸着することとなり、両者が吸着状態で固定されることとなる。
【００３８】
図７は、この状態で携帯端末Ｐの台として携帯端末用サンシェードが折り込まれて磁気によって固定されて使用される一例を示す図である。
従って、ディスプレイ部を台上に斜めに定置して視認でき、かつ使用することができるものである。
【００３９】
更に、図８は、携帯端末Ｐに本考案に係る携帯端末用サンシェードを配設した状態で持ち運びやすく小さく折り畳んだ状態の一例を示す図である。
即ち、図８は、収納時のみならずサンシェードとして使用しない場合であっても携帯端末Ｐに例えば設置着部等で接着した状態で使用する際の携帯端末用サンシェードの状態である折り畳んだ状態での一例を示す図である。
これは、携帯端末用サンシェードの覆い部３の両側面部３１、３３をそれぞれ中央部３２方向に折り込んで、更にこの折り込んだ覆い部３を本体１方向に折り込んで小さく折り畳んだ状態の一例を示す図である。
【００４０】
従って、極めてコンパクトに収納でき携帯端末Ｐの使用を妨げないものとなる。
更に、本体１と覆い部３とを連結する連結部２を本体の幅よりも細く形成することにより、この様に収納状態であっても、携帯端末の写真やビデオ等のためのレンズ部分を覆うことなく必要な撮影等を可能とする。
尚、この様に収納状態とする際には、携帯端末用サンシェードの本体１の内部の磁石Ｂと、覆い部３の三角形状の折り込み部３１１、３３１の内部のスチールプレートＡとが磁気的に吸着することにより吸着状態で固定されることとなる。
【００４１】
更に、この状態だけではなく覆い部３の中央部３２や三角形状の折り込み部の上部に位置する側面板部３１２、３３２の内部のいずれも或いはいずれかに磁石を有するものであってもよい。
或いは、本体の内部に別途磁石を有するものであってもよい。
この様に構成しても、本考案に係る携帯端末用サンシェードの各部位を必要に応じて折り返し又は折り曲げて任意の形状に形作る際に、該形状を固定状態で維持することの便宜をより確実に行えるものとなる。
【００４２】
又、三角形状の折り込み部３１１、３３１の内部に有するスチールプレートＡに代えて例えば他の強磁性体や磁石Ｂ等に代えてもよい。
更に、他の磁石を使用する個所をスチールプレートＡや強磁性体をもって構成するものであってもよい。
但し、少なくとも任意の一定個所に磁石を用いることが必要である。
【符号の説明】
【００４３】
１        本体
１１      切れ込み部
２        連結部
３        覆い部
３１      側面部
３１１    折り込み部
３１２    側面板部
３２      中央部
３３      側面部
３３１    折り込み部
３３２    側面板部
３３３    突起部
３４      屈曲部
３５      屈曲部
Ａ        スチールプレート
Ｂ        磁石
【図１】
0003211228.tif 000003
【図２】
0003211228.tif 000004
【図３】
0003211228.tif 000005
【図４】
0003211228.tif 000006
【図５】
0003211228.tif 000007
【図６】
0003211228.tif 000008
【図７】
0003211228.tif 000009
【図８】
0003211228.tif 000010